(57)【要約】【課題】釣竿本体に付属品が設けられた場合であっても、商品としての釣竿の包装及び搬送のコストの上昇を抑えることができる釣竿用包装具の提供。【解決手段】この釣竿用包装具１０は、包装箱１３と付属品収容具１４とを備える。包装箱１３は、釣竿本体を包装するものであるが、所定の規格に合致し、釣竿本体を包装するために必要且つ十分な容量の安価なものである。付属品収容具１４は、包装箱１３の外部に取り付けられ、取外可能である。典型的には、付属品収容具１４は、面ファスナーにより取り付けられる。【選択図】  図１
2004242555.tif 000002
【特許請求の範囲】
【請求項１】
そのサイズが所定の規格に合致し、釣竿本体を包装するための包装箱と、
包装箱の外部に取外可能に設けられ、釣竿本体の付属品を収容するための付属品収容具とを備えた釣竿用包装具。
【請求項２】
上記付属品収容具は、上記包装箱に面ファスナーによって取り付けられている請求項１に記載の釣竿用包装具。
【請求項３】
上記付属品収容具は、可撓性を有する材料から構成され、その外形形状は、上記包装箱が収容搬送される搬送箱に収容され得るように形成されている請求項１又は２に記載の釣竿包装具。
【請求項４】
上記付属品収容具は、
上記付属品が収容される袋状の収容部と、
当該収容部に延設され、上記包装箱に取り付けられる帯状の取付部とを有する請求項１ないし３のいずれかに記載の釣竿包装具。
【請求項５】
上記帯状の取付部は、真直形態と環状形態との間で自在に形態変化が可能に形成されており、且つ、当該取付部を上記環状形態に保持するための面ファスナーを備えている請求項４に記載の釣竿包装具。
【発明の詳細な説明】
【０００１】
【発明の属する技術の分野】
この発明は、商品としての釣竿を包装する釣竿用包装具に関するものである。
【０００２】
【従来の技術】
図１０は、釣具店等で展示販売される商品としての釣竿の斜視図である。
釣竿は、一般に釣竿本体１が釣竿用の包装箱２に収容された状態で展示され販売される。同図は、包装箱２から釣竿１が取り出された状態を図示している。
【０００３】
商品としての釣竿が販売されるときには、釣竿本体１の機種によっては付属品が設けられる場合がある。例えば、同図が示す釣竿本体１は、大型のマスをターゲットとするものであって、釣竿本体１の操作性の向上のためにファイティングボトム３が付属品として設定されている。
このファイティングボトム３は、釣竿１の後端部４に嵌め込まれるようになっており、釣人は、当該後端部４に嵌め込まれたファイティングボトム３を腹部等に当接させることにより、ファイト時に釣竿１を円滑に操作することができる。
なお、ファイティングボトム３その他の付属品は、釣竿本体１と共に包装箱２に収容され、展示販売される。
【０００４】
付属品のなかでも上記ファイティングボトム３は、大型の魚がヒットした場合であっても、魚の引張力に抗して釣人が釣竿本体１を円滑に操作するためのものであるから、その機能が達成されるためにファイティングボトム３の外径寸法Ｄは、ある程度大きく設定される必要がある。
ところで、釣竿用の包装箱は、一般に同図が示すように、断面形状が矩形の細長直方体に形成されており、その外形寸法（縦寸法Ａ、横寸法Ｂ及び高さ寸法Ｃ）は、規格化されている。つまり、釣竿用の包装箱の規格は、縦寸法Ａ、横寸法Ｂ及び高さ寸法Ｃの組み合わせを予め数種類設定しており、その中から、釣竿本体及びその付属品が確実に収容されるサイズのものが選定される。
【０００５】
なお、釣竿本体が包装箱に収容され、展示販売されていることは、顕著な事実である。ただし、本発明に関連する先行技術文献については、本願出願時において本願出願人が知るものは存在しない。
【０００６】
【発明が解決しようとする課題】
釣竿本体と付属品とがコンパクトに纏められ、これらがぴったりと収容され得る釣竿用の包装箱の寸法が上記規格に設定されていれば問題はない。
しかし、同図が示すように、付属品としてのファイティングボトム３の寸法Ｄが特に大きい場合は、包装箱２が釣竿本体１のみがぴったりと収容し得るものであっても、ファイティングボトム３を収容することができない場合もある。そのような場合には、釣竿用の包装箱として、上記規格において包装箱２よりもワンサイズ大きなもの（すなわち、高価なもの）が採用されなければならない。
【０００７】
そのため、釣竿本体１の包装コストが上昇するという問題があった。
また、大きなサイズの包装箱が用いられることにより、商品としての釣竿の搬送コストが上昇する。具体的には、次の通りである。
【０００８】
図１１は、商品としての釣竿（釣竿及びその付属品）が搬送される要領を図示した斜視図である。
同図が示すように、釣竿本体及びその付属品が収容された包装箱２は、搬送箱５に収容される。この搬送箱５は、例えば、段ボールにより構成され、その内側に包装箱収容室６が区画形成されている。各包装箱収容室６は、包装箱２が、同図が示すように完全に収容されるように形成されている。つまり、各包装箱収容室６は、包装箱２が収容された状態で、当該包装箱２との間に隙間空間７が形成されるように、その寸法が設定されている。これにより、包装箱２は、搬送箱５に完全に収容保護され、安全に搬送される。
上記搬送箱５は、包装箱２の寸法に合致して構成されるから、包装箱２の外形寸法が大きくなれば、搬送箱５の外形寸法も大きくされる必要がある。そのため、搬送箱のコストが上昇し、その結果、釣竿の搬送コストが上昇する。
【０００９】
このように、釣竿本体に外形形状の大きい付属品が設けられた場合には、その包装及び搬送のコストが上昇し、引いては、商品としての釣竿の製造コストが上昇するという問題があった。
そこで、本発明の目的は、釣竿本体に付属品が設けられた場合であっても、商品としての釣竿の包装及び搬送のコストの上昇を抑えることができる釣竿用包装具を提供することである。
【００１０】
【課題を解決するための手段】
（１）  上記目的を達成するため、本願に係る釣竿用包装具は、そのサイズが所定の規格に合致し、釣竿本体を包装するための包装箱と、包装箱の外部に取外可能に設けられ、釣竿本体の付属品を収容するための付属品収容具とを備えたことを特徴とするものである。
【００１１】
この構成によれば、釣竿本体は、包装箱に収容される。この包装箱は、規格に合致したものであって、釣竿本体が収容されるために必要且つ十分なサイズのものが採用される。つまり、包装箱は、当該釣竿本体を収容するために十分であって且つ最もコスト安価なものが採用される。
また、釣竿本体の付属品は、付属品収容具に収容され、付属品収容具は、上記包装箱の外部に取り付けられる。したがって、付属品の外形寸法が大きい場合であっても、付属品を収容する目的で敢えてサイズの大きい包装箱を採用する必要はない。
さらに、付属品は、付属品収容具によって包装箱の外部に取り付けられるから、当該商品としての釣竿には当該付属品が設定されていることを看者が容易に把握することができる。なお、付属品収容具には、所望のデザインが施され得るので、商品としての釣竿の見栄えが良くなる。
【００１２】
（２）  上記付属品収容具は、上記包装箱に面ファスナーによって取り付けられているのが好ましい。
この構成では、付属品収容具は、包装箱に対して容易に着脱される。付属品収容具には面ファスナーが設けられているので、包装箱から取り外された付属品収容具は、小物入れとして使用され、例えば釣人が着用するライフジャケット等に着脱自在に取り付けられる。
【００１３】
（３）  ところで、上記包装箱は、前述のように、搬送箱に収容されて搬送され、搬送箱のサイズは、包装箱を収容した状態で当該包装箱との間に一定の隙間空間が形成されるように設定されている。つまり、この隙間空間は、包装箱の内部空間よりも広い。
本願発明者は、包装箱の搬送に際して上記隙間空間を有効に活用できれば、包装箱の外部に付属品収容具が取り付けられていても、より安全な搬送が実現されると考えた。
【００１４】
そこで、上記付属品収容具は、可撓性を有する材料から構成され、その外形形状は、上記包装箱が収容搬送される搬送箱に収容され得るように形成されているのが好ましい。
この構成では、釣竿用包装具が搬送箱に収容される際に、包装箱が搬送箱に収容されると共に、付属品収容具が変形され、搬送箱の上方へ移動される。これにより、包装具が搬送箱に収容された状態で、付属品収容具が上記隙間空間内に配置される。
【００１５】
（４）  上記付属品収容具は、上記付属品が収容される袋状の収容部と、当該収容部に延設され、上記包装箱に取り付けられる帯状の取付部とを有して構成され得る。
この構成では、帯状の取付部の端部が包装箱に取り付けられ、当該取付部によって懸架された状態で収容部が配置される。この収容部には上記付属品が収容されるので、当該付属品は、包装箱に吊り下げられた状態で取り付けられる。
このため、上記搬送箱に包装箱が収容されたときに、上記帯状の取付部が湾曲され、上記収容部が上記隙間空間へ簡単に移動される。
しかも、この隙間空間には付属品収容具以外のものが配置されることはないので、隙間空間が最大限に有効利用される。つまり、隙間空間の対角線に沿って付属品収容具が配置され得るので、付属品収容具は、その外形寸法の許容最大値が大きく設定され得る。
【００１６】
特に、上記帯状の取付部は、真直形態と環状形態との間で自在に形態変化が可能に形成されており、且つ、当該取付部を上記環状形態に保持するための面ファスナーを備えているのが好ましい。
この構成では、面ファスナーによって上記取付部が環状に形成保持される。したがって、たとえば、釣人は、当該付属品収容具を小物入れとして使用する場合に、上記取付部をライフジャケットの所要部に挿通し、環状に形成することによって、釣りの最中に当該付属品収容具を常時携帯することができる。
【００１７】
【発明の実施の形態】
以下、適宜図面が参照されつつ、好ましい実施形態に基づいて本発明が詳細に説明される。
【００１８】
図１は、本発明の一実施形態に係る商品としての釣竿の斜視図である。
この釣竿１０は、釣竿本体（図示せず）と付属品としてのファイティングボトム１１とを有し、これらが釣竿用包装具１２に収容されている。
本実施形態の特徴とするところは、釣竿用包装具１２の構造にあり、この釣竿用包装具１２は、釣竿本体を収容する包装箱１３と、ファイティングボトム１１を収容する付属品収容具１４とを備えている点、及び付属品収容具１４は、後述のように可撓性を有する材料からなり、包装箱１３の外部に取り付けられている点である。
【００１９】
包装箱１３は、同図が示すように細長の直方体に形成されており、例えば、燃焼温度の低いポリエチレンテレフタレート、典型的には、アモルファスポリエチレンテレフタレート（ＡＰＥＴ）等により構成されている。この包装箱１３は、その外形寸法（縦寸法、横寸法及び高さ寸法）が所定の規格にしたがって設定されたものであり、いわゆる既製品である。
この包装箱１３は、蓋１５を備えている。蓋１５は、包装箱１３の上方から当該包装箱１３に嵌め込まれるようになっている。もっとも、蓋１５は、本実施形態のように別部材として構成される他に、例えば、包装箱の背面を構成する部分によって蓋が兼用されるように構成されていてもよい。
本実施形態では、包装箱１３は、上記釣竿本体が収容されるために必要且つ十分な容積を持つもの（必要最小限のサイズのもの）が採用されている。
【００２０】
付属品としてのファイティングボトム１１は、本実施形態では、円盤状に形成されている。ファイティングボトム１１は、その表面側に凹部１７が設けられており、この凹部１７に釣竿本体の後端部が嵌め込まれるようになっている。釣人は、ファイティングボトム１１が釣竿本体に取り付けられた状態で、ファイティングボトム１１の裏面側を腹部等に当接させることによって、ファイト時に釣竿本体を円滑に操作することができる。
【００２１】
ファイティングボトム１１は、大型の魚がヒットした場合であっても当該魚の引張力に抗して釣人が円滑に釣竿本体を操作し得るように釣竿本体に取り付けられるものであるから、かかる機能が発揮されるためには、ファイティングボトム１１の外径寸法は、８０ｍｍ〜９０ｍｍ程度に設定される。このように、ファイティングボトム１１がかかる寸法に設定されることによって、ファイティングボトム１１は、包装箱１３に収容されることはない。
【００２２】
図２は、付属品収容具１４の正面図であり、図３は、図２におけるＩＩＩ−ＩＩＩ断面図である。
付属品収容具１４は、上記ファイティングボトム１１が収容される収容部１８と、これに連続して形成された取付部１９とを有し、全体として図が示すように略徳利状に形成されている。
【００２３】
具体的には、付属品収容具１４は、背面部分を構成する基布２０と、基布２０に設けられたメッシュシート２１とを備えている。
基布２０は、平面的なシート状部材であって、略円形に形成された本体部２２と、これに延設された帯状の首部２３とを有し、全体として略徳利状に裁断されている。また、メッシュシート２１は、略円形に裁断されており、本体部２２に重ね合わされるようにして取り付けられている。両者は、縫製されて固着されており、縁取テープ２４によって縁部が装飾されている。なお、この縁取テープ２４は、本体部２２の全周及びメッシュシート２１の周縁部にも設けられている。
【００２４】
このように、基布２０に対してメッシュシート２１が取り付けられることによって、基布２０とメッシュシート２１とにより袋状に形成された上記収容部１８が構成され、基布２０の首部２３によって上記取付部１９が構成されている。
なお、本実施形態では、メッシュシート２１が採用されているので、収容部１８に収容されたファイティングボトム１１が目視でき、消費者は、付属品の存在を確認することができる。ただし、メッシュシート２１に代えて基布２０と同様の材質のシート部材やその他のソリッドシートが採用されてもよいことは勿論である。
【００２５】
図４は、図１における要部拡大斜視図であり、付属品収容具１４の取付要領を示している。なお、同図では、ファイティングボトム１１の図示が省略されている。
上記付属品収容具１４は、図１及び図４が示すように、上記取付部１９が包装箱１３に取り付けられることによって、当該包装箱１３に取り付けられている。具体的には、上記取付部１９の首部２３が包装箱１３の開口周縁部１３ａを外側から内側へ回り込むように配置されている。そして、本実施形態ではステープル２５が包装箱１３の前面上部に打ち込まれることによって、上記首部２３が包装箱１３に固定されている。また、蓋１５は、上記取付部１９を包装箱１３との間に挟み込むようにして当該包装箱１３に嵌め込まれている。
したがって、釣人が蓋１５を取り外し、付属品収容具１４を引っ張ることによって、付属品収容具１４は、容易に包装箱１３から取り外されるようになっている。
【００２６】
なお、付属品収容具１４は、上記蓋１５に取り付けられていてもよい。また、付属品収容具１４の包装箱１３への取り付けは、上記ステープル２５に限定されるものではなく、取外作業が容易であれば、後述のように、他の種々の方法が採用されてもよい。
【００２７】
本実施形態では、釣竿本体は、次のように包装され搬送される。
釣竿本体は、包装箱１３に収容される。この包装箱１３は、規格に定められたサイズに形成されており、当該釣竿本体が収容されるために必要且つ十分なサイズのものが採用される。したがって、包装箱１３は、当該釣竿本体を収容するために十分であって且つ最もコスト安価なものである。
【００２８】
また、ファイティングボトム１１は、付属品収容具１４に収容され、付属品収容具１４は、包装箱１３の外部に取外自在に取り付けられる。したがって、ファイティングボトム１１のように、その外径寸法が大きい場合であっても、付属品を収容する目的で敢えてサイズの大きい包装箱（高価な包装箱）を採用する必要はない。
したがって、従来では、ファイティングボトム１１を収容するためだけにワンサイズ大きな包装箱が採用され、それにより、包装コスト及び搬送コストが上昇していたが、本実施形態では、サイズが小さくて安価な包装箱１３が採用されるので、包装コスト及び搬送コストが低減され、その結果、商品としての釣竿１０の製造コストが低減されるという利点がある。
【００２９】
さらに、ファイティングボトム１１は、付属品収容具１４によって包装箱１３の外部に取り付けられるから、当該商品としての釣竿１０には付属品としてファイティングボトム１１が設定されていることを消費者が容易に把握することができる。しかも、付属品収容具１４には、所望のデザインが施され得る。これにより、釣竿１０の見栄えが良くなり、商品としての魅力が向上する。
【００３０】
図５は、釣竿１０が搬送されるときの状態を図示した要部拡大斜視図である。
同図が示すように、一般に釣竿本体が収容された包装箱１３は、搬送箱２６に収容されて搬送される。搬送箱２６のサイズは、その長手方向の寸法が包装箱１３の長手方向の寸法よりも長く設定されており、包装箱１３を収容した状態で当該包装箱１３との間に一定の隙間空間Ｓが形成される。つまり、この隙間空間Ｓは、包装箱１３の内部空間よりも広い。
【００３１】
本実施形態では、付属品収容具１４の外径寸法は、１００ｍｍ〜１１０ｍｍに設定されているために包装箱１３内には収容されないが、付属品収容具１４は、前述のように可撓性を有する材料から構成されているので、図５が示すように、取付部１９が上方へ折り返され且つ収容部１８が所定角度捩られることによって、収容部１８の径方向が搬送箱２６の対角線方向に沿うように配置される。これにより、包装箱１３は、搬送箱２６の上記隙間空間Ｓ内に収容される。
したがって、包装箱１３及び付属品収容具１４は、従来から使用されている搬送箱２６によって確実に保護され、安全に搬送される。
【００３２】
また、本実施形態では、付属品収容具１４が上記収容部１８と取付部１９とを有して構成されるから、図１が示すように、取付部１９の端部が包装箱１３に取り付けられ、この取付部１９によって懸架された状態で収容部１８が配置される。このため、上記搬送箱２６に包装箱１３が収容される際に、収容部１８が上記隙間空間Ｓへ移動される作業は、帯状の取付部１９が湾曲され、捩られることのみによって行われるので、収容部１８は、上記隙間空間Ｓへ簡単に移動されるという利点がある。
【００３３】
加えて、上記隙間空間Ｓには付属品収容具１４以外のものが配置されることはないので、隙間空間Ｓが最大限に有効利用される。つまり、付属品収容具１４の外径寸法は、隙間空間Ｓの対角線寸法と同様の寸法まで大きく設定され得るものである。したがって、ファイティングボトム１１等の外形形状が大きな付属品であっても、包装箱１３と共に安全に搬送される。
【００３４】
また、付属品収容具１４は、包装箱１３から取り外されるが、それにより、付属品収容具１４が小物入れとして使用され得る。したがって、釣人は、ファイティングボトム１１を付属品収容具１４に収容した状態で携帯することができるという利点がある。
【００３５】
次に、本実施形態の変形例について説明される。
図６は、本実施形態の第１の変形例に係る付属品収容具３０の正面図である。また、図７は、図６におけるＶＩ−ＶＩ断面図である。
本変形例に係る付属品収容具３０が上記付属品収容具１４と異なるところは、メッシュシート２１の外形寸法が大きく設定されており、これにより、収容部１８の容積が大きく設定されている点、及びメッシュシート２１と基布２０とは、面ファスナー３１により接着自在となっている点である。
【００３６】
この変形例に係る付属品収容具３０では、収容部１８の容積が大きいので、付属品収容具３０が小物入れとして使用される際に、釣人は、多くの小物を収容し、携帯することができる。
また、面ファスナー３１は、典型的にはマジックテープ（登録商標）が採用され得る。面ファスナー３１が設けられていることにより、釣人は、収容部１８の開口部分を意図的に開閉することができる。その結果、付属品収容具３０は、小物入れとしての使い勝手が向上する。
【００３７】
図８は、本実施形態の第２の変形例に係る付属品収容具４０の正面図である。また、図９は、図８におけるＶＩＩＩ−ＶＩＩＩ断面図である。
本変形例に係る付属品収容具４０が上記付属品収容具１４と異なるところは、基布２０の裏面側に面ファスナー４１、４２が設けられている点である。
この変形例では、付属品収容具４０は、面ファスナー４１，４２を備えており、しかも基布２０の首部２３は可撓性を有するから、首部２３は、図９の実線が示すように真直な状態から、同図二点鎖線が示すように、湾曲されて環状に形成された状態まで自在に変形する。
【００３８】
首部２３が環状に形成された状態では、面ファスナー４１、４２同士が係合し、首部２３は、環状に保持される。したがって、釣人は、例えばライフジャケットやフィッシングウェア等に首部２３を巻き付けることにより、付属品収容具４０をライフジャケット等に取り付けておくことができ、釣りの最中に付属品収容具４０を常時携帯することができる。
また、面ファスナー４１、４２が設けられているから、これと対を成す面ファスナーがタックルケース等に設けられる場合は、小物入れとして使用可能な付属品収容具４０が当該タックルケース等にも取り付けられる。
【００３９】
なお、本実施形態では、付属品としてファイティングボトム１１が設定されている態様を開示しているが、付属品には、釣竿本体の機種ないし仕様に応じて種々のものが設定され得ることは言うまでもない。
【００４０】
【発明の効果】
以上のように本発明によれば、釣竿本体に付属品が設定されている場合であっても、これが付属品収容具に収容され、釣竿本体の包装具の外部に取り付けられるから、包装具については、当該釣竿本体を収容することができる最も小さなサイズが使用される。これにより、付属品が設定されている場合であっても、商品としての釣竿の搬送コストが安価なものとなる。
また、付属品収容具が設けられることによって、当該釣竿本体には当該付属品が設定されていることが一目瞭然であり、商品の付加価値がアピールされるという利点がある。
【図面の簡単な説明】
【図１】図１は、本発明の一実施形態に係る商品としての釣竿の斜視図である。
【図２】図２は、本発明の一実施形態に係る付属品収容具の正面図である。
【図３】図３は、図２におけるＩＩＩ−ＩＩＩ断面図である。
【図４】図４は、図１における要部拡大斜視図である。
【図５】図５は、本発明の一実施形態に係る釣竿が搬送されるときの状態を図示した要部拡大斜視図である。
【図６】図６は、本発明の一実施形態の第１の変形例に係る付属品収容具の正面図である。
【図７】図７は、図６におけるＶＩ−ＶＩ断面図である。
【図８】図８は、本発明の一実施形態の第２の変形例に係る付属品収容具の正面図である。
【図９】図９は、図８におけるＶＩＩＩ−ＶＩＩＩ断面図である。
【図１０】図１０は、釣具店等で展示販売される商品としての釣竿の斜視図である。
【図１１】図１１は、商品としての釣竿（釣竿及びその付属品）が搬送される要領を図示した斜視図である。
【符号の説明】
１０・・・釣竿
１１・・・ファイティングボトム
１２・・・釣竿用包装具
１３・・・包装箱
１４・・・付属品収容具
１８・・・収容部
１９・・・取付部
２０・・・基布
２１・・・メッシュシート
２２・・・本体部
２３・・・首部
２４・・・縁取テープ
２５・・・ステープル
３０・・・付属品収容具
３１・・・面ファスナー
４０・・・付属品収容具
４１・・・面ファスナー
４２・・・面ファスナー
【図１】
2004242555.tif 000003
【図２】
2004242555.tif 000004
【図３】
2004242555.tif 000005
【図４】
2004242555.tif 000006
【図５】
2004242555.tif 000007
【図６】
2004242555.tif 000008
【図７】
2004242555.tif 000009
【図８】
2004242555.tif 000010
【図９】
2004242555.tif 000011
【図１０】
2004242555.tif 000012
【図１１】
2004242555.tif 000013